(57)【要約】      （修正有）【課題】緩衝材に片面ダンボール紙を使用し、その緩衝材を蛍光灯に収納させるようにした直管形蛍光灯の包装箱を提供する。【解決手段】直管形蛍光灯Ｋ，Ｋ´を２本以上収納する包装箱１は、台紙２と直管形蛍光灯Ｋ，Ｋ´の両直管の外周に被覆する帯状の緩衝材３からなり、該緩衝材３は片面ダンボール紙を中間で撮んだ山形部を糊着して挿入し、該糊着を点接着にして蛍光灯に収納させるようにした直管形蛍光灯Ｋ，Ｋ´の包装箱１を構成する。【選択図】図１
0003152321.tif 000002
【実用新案登録請求の範囲】
【請求項１】
台紙と直管形蛍光灯の両直管の外周に被覆する帯状の緩衝材とからなり、該緩衝材は片面ダンボール紙を中間でつまんだ山形部を前記台紙に点接着して挿入し、前記蛍光灯に収納させるようにしたことを特徴とする直管形蛍光灯の包装箱。
【請求項２】
前記包装台紙は、底面の下部に折目線を介して表側面と糊代面を連接し、前記底面の上部には折目線を介して裏側面と上面を連接し、前記両側面の両端には、折目線を介して折り返し面を連接し、前記上面の両端には、折目線を介して蓋面とフラップ差し込み面を連接してなる請求項１記載の直管形蛍光灯の包装箱。
【考案の詳細な説明】
【技術分野】
【０００１】
本考案は、直管形蛍光灯の包装箱に係るものであり、更に詳しくは複数本蛍光灯を収納する際の緩衝材に関するものである。
【背景技術】
【０００２】
直管形蛍光灯の包装箱に関しては、先行技術がいくつかある（例えば特許文献１、特許文献２）。特許文献１は、長尺ガラス管の長手方向に沿った２箇所のエヤリ点で保持するようにしたものである。特許文献２は、電球の両端を保持片にて押圧するようにしたものである。
【特許文献１】特開２００４−２０３３９１号公報。
【特許文献２】実開昭６２−１６８３８８号公報。
【０００３】
また緩衝性を持たせた先行技術もある（例えば特許文献３）。特許文献３は、内面に突起を設け、突起により緩衝性を持たせている。
【特許文献３】実開昭５９−１７５０８５号公報。
【０００４】
しかしながら、何れも固定されたものであって、蛍光灯に収納させるようにしたものではなかった。
【考案の開示】
【考案が解決しようとする課題】
【０００５】
上記の事情に鑑み、本考案は、緩衝材に片面ダンボール紙を使用し、その緩衝材を蛍光灯に収納させるようにした直管形蛍光灯の包装箱を課題とする。
【課題を解決するための手段】
【０００６】
本考案は、上記目的を達成するために、台紙と前記直管形蛍光灯の両直管の外周に被覆する帯状の緩衝材とからなり、該緩衝材は片面ダンボール紙を中間でつまんだ山形部を台紙に点接着して挿入し、蛍光灯に収納させるようにした直管形蛍光灯の包装箱を構成するものである。
【考案の効果】
【０００７】
本考案の包装箱によると、緩衝材を蛍光灯に収納させることができる。
【０００８】
本考案の包装箱によると、蛍光灯同士が接触することなく、衝撃による破損が解消できる。
【考案を実施するための最良の形態】
【０００９】
以下、本考案の実施例を図面に基づいて詳しく説明する。
【実施例１】
【００１０】
図１は、本考案の包装箱の組み立て方法を示す分解斜視図、図２は、本考案の包装台紙と緩衝材を示す平面図、図３は、本考案の緩衝材を示す拡大斜視図である。
【００１１】
本実施例では、直管形蛍光灯を２本収納する包装箱について以下説明する。本考案の包装箱１は、包装台紙２と緩衝材３とからなっている。包装台紙２は、底面４の下部に折目線５と切目線６を介して表側面７と糊代面８を連接する。また底面４の上部には折目線９，１０を介して裏側面１１と上面１２を連接する。そして両側面７，１１の両端には、折目線１３，１４，１５，１６を介して折り返し面１７，１８，１９，２０を連接する。また上面１２の両端には、折目線２１，２２，２３，２４を介して蓋面２５，２６とフラップ差し込み面２７，２８を連接する。従って包装箱１は、夫々の折目線を内側に折り曲げて組み立てられる。
【００１２】
緩衝材３は、包装物となる２本の直管形蛍光灯Ｋ，Ｋ´の両直管の外周を被覆する帯状からなっている。この緩衝材３の材質は、片段からなる片面ダンボール紙２９である。片段は中に入れる包装物によって厚みを変更する。本実施例の場合には、２本の直管形蛍光灯Ｋ，Ｋ´が２０Ｗなので、薄紙のＥ段１．６ｍｍを使用している。この片段の厚みはこの他に、Ｆ段１．２ｍｍ、Ｂ段３．０ｍｍ、Ａ段５．０ｍｍがある。
【００１３】
緩衝材３は、この片面ダンボール紙を中間でつまんだ山形部３０にし、包装箱内に糊着して挿入する。この際、糊着は全面接着とせずに、ホットメルト接着剤による点接着３１にしている。そのため、蛍光灯に収納して、緩衝材の役目を果たすことができる。
【００１４】
次に図１の組み立て方法について説明する。（ａ）は、包装台紙２と緩衝材３を示す。（ｂ）は、緩衝材３が包装台紙２の両側に２個配置し、点接着で糊着することを示す。（ｃ）は、２本の蛍光灯Ｋ，Ｋ´を緩衝材３の山形部を挟むように挿入することを示す。（ｄ）は、両側面を折り曲げる１次の組み立てを示す。（ｅ）は、切目線で糊代面を折り曲げる２次の組み立てを示す。（ｆ）は、上面で蓋をする３次の組み立てを示す。（ｇ）は、フラップを差し込む状態を示す。そして（ｈ）は、完成した包装箱の状態を示す。
【産業上の利用可能性】
【００１５】
本考案の包装箱は、片面ダンボールの厚みを変更することにより、各種蛍光灯の包装に対処して、広く利用することができる。
【図面の簡単な説明】
【００１６】
【図１】本考案の包装箱の組み立て方法を示す分解斜視図である。
【図２】本考案の包装台紙と緩衝材を示す平面図である。
【図３】本考案の緩衝材を示す拡大斜視図である。
【符号の説明】
【００１７】
１                              包装箱
２                              包装台紙
３                              緩衝材
４                              底面
５，９，１０，１３，１４，１５  折目線
１６，２１，２２，２３，２４    折目線
６                              切目線
７                              表側面
８                              糊代面
１１                            裏側面
１２                            上面
１７，１８，１９，２０          折り返し面
２５，２６                      蓋面
２７，２８                      フラップ差し込み面
２９                            片面ダンボール紙
３０                            山形部
３１                            点接着
Ｋ，Ｋ´                        包装物となる直管形蛍光灯
【図１】
0003152321.tif 000003
【図２】
0003152321.tif 000004
【図３】
0003152321.tif 000005
【手続補正書】
【提出日】平成21年5月27日(2009.5.27)
【手続補正１】
【補正対象書類名】実用新案登録請求の範囲
【補正対象項目名】請求項１
【補正方法】変更
【補正の内容】
【請求項１】
包装台紙と直管形蛍光灯の両直管の外周に被覆する帯状の緩衝材とからなり、該緩衝材は片面ダンボール紙を中間でつまんだ山形部を点接着して前記包装台紙に挿入し、前記蛍光灯を収納させるようにしたことを特徴とする直管形蛍光灯の包装箱。
【手続補正２】
【補正対象書類名】明細書
【補正対象項目名】０００６
【補正方法】変更
【補正の内容】
【０００６】
本考案は、上記目的を達成するために、包装台紙と前記直管形蛍光灯の両直管の外周に被覆する帯状の緩衝材とからなり、該緩衝材は片面ダンボール紙を中間でつまんだ山形部を点接着して前記包装台紙に挿入し、前記蛍光灯を収納させるようにした直管形蛍光灯の包装箱を構成するものである。